(57)【要約】【課題】最小火力でコンロバーナを使用した時に、炎の吹き消えが抑制できる、使い勝手のよいガスコンロを提供する。【解決手段】火力指令用操作部の手動操作で信号出力部から出力される信号に基づいて火力調整手段を駆動してコンロバーナの火力を予め設定された設定最大火力、予め設定された設定最小火力、及び、前記設定最大火力と前記設定最小火力の間に設定された複数段階の中間火力に調整する手動操作火力制御を実行する制御手段とを備えたガスコンロにおいて、最小火力増加モードが指令されたときに、前記信号に基づいて火力調整手段を駆動して前記コンロバーナの火力を前記設定最大火力、前記設定最小火力より大きな増加最小火力、及び、前記設定最大火力と前記増加最小火力の間に設定された複数段階の増加後中間火力に調整すべく増加時手動操作火力制御を実行する。【選択図】図５
2014009872.tif 000002
【特許請求の範囲】
【請求項１】
火力指令用操作部を正方向及び逆方向に手動操作することでコンロバーナの火力の増大及び減少を指令する火力増加信号及び火力減少信号を出力する信号出力部と、この信号出力部から出力される信号が入力されこの信号に基づいて火力調整手段を駆動して前記コンロバーナの火力を予め設定された設定最大火力、予め設定された設定最小火力、及び、前記設定最大火力と前記設定最小火力の間に設定された複数段階の中間火力に調整する手動操作火力制御を実行する制御手段とを備えたガスコンロにおいて、
最小火力増加指令手段を備え、この最小火力増加指令手段によって最小火力増加モードが指令されたときに、前記制御手段は、前記信号に基づいて火力調整手段を駆動して前記コンロバーナの火力を前記設定最大火力、前記設定最小火力より大きな増加最小火力、及び、前記設定最大火力と前記増加最小火力の間に設定された複数段階の増加後中間火力に調整すべく増加時手動操作火力制御を実行することを特徴とするガスコンロ。
【請求項２】
前記増加後中間火力の段数が、前記中間火力の段数と同じ段数に設定されていることを特徴とする請求項１に記載のガスコンロ。
【請求項３】
前記最小火力増加モードの解除指令を指令する解除指令手段が設けられ、
前記制御手段は、前記最小火力増加指令手段にて最小火力増加モードが指令されると、前記解除指令手段にて前記解除指令が指令されるまで、前記増加時手動操作火力制御を継続して実行するように構成されている請求項１又は請求項２記載のガスコンロ。
【発明の詳細な説明】
【技術分野】
【０００１】
本発明は、火力指令用操作部を正方向及び逆方向に手動操作することでコンロバーナの火力の増大及び減少を指令する火力増加信号及び火力減少信号を出力する信号出力部と、この信号出力部から出力される信号が入力されこの信号に基づいて火力調整手段を駆動して前記コンロバーナの火力を予め設定された設定最大火力、予め設定された設定最小火力、及び、前記設定最大火力と前記設定最小火力の間に設定された複数段階の中間火力に調整する手動操作火力制御を実行する制御手段とを備えたガスコンロに関する。
【背景技術】
【０００２】
このようなガスコンロとして、正転方向及び逆転方向の回転操作に伴って調理用のコンロバーナの火力の増大及び減少を指令する回転操作部と、その回転操作部の回転操作に伴ってパルス信号を出力するように構成されたエンコーダとを備え、そのエンコーダから出力されるパルス信号に基づいて、回転操作部の回転操作方向並びに回転操作量を判別して、その判別した回転操作方向並びに回転操作量に対応させてコンロバーナの火力を調整する制御手段とを備えたガスコンロが知られている。
（例えば、特許文献１参照）。
【０００３】
特許文献１のガスコンロにおいては、手動で火力を調整する際には火力指令用操作部を使用者が正方向及び逆方向に手動操作することで調理用のコンロバーナの火力の増大及び減少が行え、また、該ガスコンロに備える鍋底用の温度センサによる調理物の温度をフィードバックしながら自動で火力の調整を行う際にも、火力指令用操作部の操作状態に関わらずこの自動調理に適した調理物の温度に応じた火力での調理が可能となり好都合である。
【先行技術文献】
【特許文献】
【０００４】
【特許文献１】特開２００４−２６３９２９号公報
【発明の概要】
【発明が解決しようとする課題】
【０００５】
特許文献１のガスコンロは、火力指令用操作部によって手動で火力調整を行うものである。この種のガスコンロでは、火力指令用操作部により火力調整可能な火力調整範囲の下限が、ガスコンロが備えるコンロバーナの性能やコンロバーナにおける燃焼に関連する種々の部品の製造バラツキを考慮してガスコンロの製造者によって所定の最小火力に制限されている。
【０００６】
しかしながら、ガスコンロの使用環境によっては、風などの影響が大きい場合は、上記所定の最小火力でコンロバーナを使用した時に炎の吹き消えにより調理が中断してしまうことがあり改善が望まれていた。
【０００７】
本発明は、かかる点に着目してなされたものであり、その目的は、最小火力でコンロバーナを使用した時に、ガスコンロの使用環境によらず炎の吹き消えが起こりにくく、炎の吹き消えによる調理の中断が抑制できる、使い勝手のよいガスコンロを提供する点にある。
【課題を解決するための手段】
【０００８】
この目的を達成するために、請求項１に記載の発明によるガスコンロは、火力指令用操作部を正方向及び逆方向に手動操作することでコンロバーナの火力の増大及び減少を指令する火力増加信号及び火力減少信号を出力する信号出力部と、この信号出力部から出力される信号が入力されこの信号に基づいて火力調整手段を駆動して前記コンロバーナの火力を予め設定された設定最大火力、予め設定された設定最小火力、及び、前記設定最大火力と前記設定最小火力の間に設定された複数段階の中間火力に調整する手動操作火力制御を実行する制御手段とを備えたガスコンロにおいて、最小火力増加指令手段を備え、この最小火力増加指令手段によって最小火力増加モードが指令されたときに、前記制御手段は、前記信号に基づいて火力調整手段を駆動して前記コンロバーナの火力を前記設定最大火力、前記設定最小火力より大きな増加最小火力、及び、前記設定最大火力と前記増加最小火力の間に設定された複数段階の増加後中間火力に調整すべく増加時手動操作火力制御を実行する点を特徴とする。
【０００９】
請求項１の構成とすることで、ガスコンロの使用環境に応じて最小火力増加モードを指令して増加時手動操作火力制御を実行することで、火力指令用操作部により火力調整可能な火力調整範囲の下限を、前記設定最小火力より大きな増加最小火力に増加することができるから、風などの影響によりコンロバーナの炎の吹き消えが発生しやすい環境でガスコンロを使用した場合にも、炎の吹き消えが起こりにくくすることができ、炎の吹き消えによる調理の中断が抑制された使い勝手のよいガスコンロとすることができる。
【００１０】
請求項２に記載の発明によるガスコンロは、請求項１に記載のガスコンロにおいて、前記増加後中間火力の段数が、前記中間火力の段数と同じ段数に設定されていることを特徴とする。
【００１１】
請求項２の構成とすることで、請求項１による効果に加え、増加時手動操作火力制御を実行して、火力指令用操作部により火力調整可能な火力調整範囲の下限を前記設定最小火力より大きな増加最小火力に増加されているときにも、火力が調整される段数は、増加時手動操作火力制御を実行する前と同じであるから、例えば、火力表示を、火力が調整される段数に対応する複数のＬＥＤなどを火力が調整される段数だけ並べたレベルメータで行っても、これら複数のＬＥＤによって増加時手動操作火力制御を実行しているときの火力を適切に表示することが可能となり、使用者が火力表示に対し違和感を感じることが抑制される使い勝手のよいガスコンロとすることが可能となる。
【００１２】
因みに、前記増加後中間火力の段数が、前記中間火力の段数とことなる段数に設定されている場合には、火力が調整される段数に対応する複数のＬＥＤなどを火力が調整される段数だけ並べたレベルメータで行ったときに、火力が調整される段数は、増加時手動操作火力制御を実行する前と実行中で火力表示を適切に行うためには、火力調節段数が変化することにより使用者が火力表示に対し違和感を感じないような配慮が必要となるであろう。
【００１３】
請求項３に記載の発明によるガスコンロは、請求項１または請求項２に記載のガスコンロにおいて、前記最小火力増加モードの解除指令を指令する解除指令手段が設けられ、前記制御手段は、前記最小火力増加指令手段にて最小火力増加モードが指令されると、前記解除指令手段にて前記解除指令が指令されるまで、前記増加時手動操作火力制御を継続して実行するように構成されていることを特徴とする。
【００１４】
請求項３の構成とすることで、請求項１または請求項２による効果に加え、最小火力増加指令手段にて最小火力増加モードが指令されると、解除指令手段にて解除指令が指令されるまで、低減火力調節制御が継続して実行されるものであるから、コンロバーナを使用するたびに、最小火力増加モードを指令する手間が省けるものとなって、使い勝手が良いものとなる。
【００１５】
つまり、使用者が、炎の吹き消えの未然の防止を望む場合には、最小火力増加モードを指令することになるが、使用者が、炎の吹き消えの未然の防止を望む状態は、継続するものであろうから、一旦、最小火力増加モードを指令すると、解除指令手段にて解除指令が指令されるまで、最小火力増加モード制御を継続させることにより、使い勝手を一層向上させることができるのである。
【００１６】
要するに、本発明の第３特徴構成によれば、上記第１又は第２特徴構成による作用効果に加えて、使い勝手を一層向上させることができるガスコンロを提供できる。
【発明の効果】
【００１７】
請求項１の発明によって、風などの影響によりコンロバーナの炎の吹き消えが発生しやすい環境でガスコンロを使用した場合にも、炎の吹き消えが起こりにくくすることができ、炎の吹き消えによる調理の中断が抑制された使い勝手のよいガスコンロとすることができる。
【００１８】
請求項２の発明によって、使用者が火力表示に対し違和感を感じることが抑制される使い勝手のよいガスコンロとすることが可能となる。
【００１９】
請求項３の発明によって、使い勝手を一層向上させることができるガスコンロを提供できる。
【図面の簡単な説明】
【００２０】
【図１】本発明のガスコンロの一実施例としてのガスコンロの斜視図
【図２】同上のガスコンロの概略構成図
【図３】火力指令用操作部と信号出力部の構成を示す側面図
【図４】同上の操作状態を示す図
【図５】制御部による火力制御に係るサブルーチンのフローチャート
【図６】火力調節段数と火力との関係を示す図
【発明を実施するための形態】
【００２１】
以下、本発明に係る調理器用の火力設定装置を調理器の一例としてガスコンロに適用した場合について図面に基づいて説明する。  図１に示すように、このガスコンロは、２つのコンロバーナ１ａ，１ｂ、および、グリルバーナ２（図２）を具備するグリル部３を備えたテーブル式ガスコンロにて構成されている。そして、グリル部３の燃焼排ガスを排気するグリル排気口４が形成され、トッププレート５でガスコンロ上面が覆われており、トッププレート５の上部に、各コンロバーナ１ａ，１ｂで加熱する被加熱物（鍋など）を載置支持するための五徳６が載置されている。また、ガスコンロ前側面には、各コンロバーナ１ａ，１ｂ及びグリルバーナ２の点火及び消火や火力調節を指令する手動操作部Ｓが設けられ、マイクロコンピュータを備えて各種の制御を実行するように構成された制御部Ｈ（図３）が、その手動操作部Ｓにて指令された運転状態に基づいて、コンロバーナ１ａ，１ｂおよびグリルバーナ２を制御するように構成されている。つまり、この実施形態ではコンロバーナ１ａ，１ｂおよびグリルバーナ２が夫々、ガスを燃料とする場合の調理用のコンロバーナＫを構成する。
【００２２】
図２に示すように、２つのコンロバーナ１ａ，１ｂの夫々には、点火手段として点火プラグ７及び着火状態を検出する熱電対８が設けられおり、グリルバーナ２は上面バーナ２ａと左右一対の下面バーナ２ｂ，２ｃとを備えた両面バーナにて構成されて、上面バーナ２ａ及び左右一対の下面バーナ２ｂ，２ｃの夫々にも点火手段として点火プラグ７及び着火状態を検出するための熱電対８が備えられている。又、各コンロバーナ１ａ，１ｂには、五徳６にて載置支持された被加熱物の底面部に接触して、被加熱物の温度を検出する温度センサ１０が設けられている。
【００２３】
２つのコンロバーナ１ａ，１ｂおよびグリルバーナ２へのガス供給構成について説明する。元ガス供給路１１には元ガス電磁弁１２が設けられ、この元ガス供給路１１から、右側バーナ用分岐路１３ａ、左側バーナ用分岐路１３ｂ、グリルバーナ用分岐路１３ｃの３系統に分岐しており、グリルバーナ２へのグリルバーナ用分岐路１３ｃは、さらに、上面バーナ用の分岐路と下面バーナ用分岐路とに分岐し、それらの分岐路には夫々、オリフィスｏｆ付きの流路１５と開閉式電磁弁１６を備えたバイパス路１７とが設けられてある。そして、右側バーナ用分岐路１３ａ、左側バーナ用分岐路１３ｂ、および、グリルバーナ用分岐路１３ｃの夫々には、ステッピングモータの駆動によってガス流量を調整して各バーナの火力を調整する流量制御弁１８が備えられている。
【００２４】
流量制御弁１８は、駆動源としてのステッピングモータ（不図示）と、このステッピングモータによって駆動される流量調整機構（不図示）とを備えて構成されており、この実施形態では流量制御弁１８が火力調整手段を構成する。
【００２５】
次に、前記手動操作部Ｓの構成について説明する。ガスコンロ前側面には、手動操作部Ｓとして、２つのコンロバーナ１ａ，１ｂおよびグリルバーナ２の夫々に対して各別に点火及び消火や火力調節を指令するための３つの加熱状態調節部２８が設けられている。これら３つの加熱状態調節部２８は同じ構成であるので、そのうちの左側コンロバーナ１ｂに対する加熱状態調節部２８を代表として構成を説明し、他のものについての説明は省略する。
【００２６】
図３に示すように、ガスコンロの前面パネル２９に形成した挿通孔３０を通して裏面側から挿通する状態で円筒状の回転操作部３１が設けられ、この回転操作部３１は、図示しない位置保持機構によって押圧操作する毎に前面パネル２９とほぼ面一になる非作用状態と前方に突出する作用状態とに切り換え自在に構成され、回転操作部３１が前記作用状態に切り換えられているときに、正転方向及び逆転方向の夫々に回動操作可能となるように構成されている。
【００２７】
前面パネル２９の内部には、回転操作部３１が非作用状態にあるとオフ状態となり作用状態にあるとオン状態となる点火スイッチ３２が設けてある。この点火スイッチ３２の切り換え信号は制御部Ｈに入力されており、制御部Ｈはこの点火スイッチ３２がオン状態に切り換わると左側コンロバーナ１ｂに対する点火作動を開始し、オフ状態に切り換わると左側コンロバーナ１ｂの燃焼作動を停止するように構成されている。
【００２８】
又、前記前面パネル２９の内部には、回転操作部３１の回転操作に伴ってパルス信号を出力するロータリーエンコーダ３３が設けられている。つまり、このロータリーエンコーダ３３の操作軸３４に前記回転操作部３１が一体回動自在に且つ軸芯方向での相対移動を許容する状態で接続されている。このロータリーエンコーダ３３は、回転操作部３１の一方向への回転操作に伴って２つのパルス信号のうちの一方のパルス信号が他方のパルス信号より位相が進み、回転操作部３１の他方向への回転操作に伴って前記他方のパルス信号が前記一方のパルス信号より位相が進む状態で、回転操作部３１の回転操作に伴って互いに異なる位相の２つのパルス信号を出力するように構成されている。つまり、このロータリーエンコーダ３３は、２つの出力端子を備えており、その２つの出力端子から上述したような位相の異なるパルス信号が出力される構成である。このようなロータリーエンコーダ３３は周知のものであるから詳細な構成については説明を省略する。
【００２９】
本実施形態では、上述の回転操作部３１が火力指令用操作部を構成し、ロータリーエンコーダ３３によって信号出力部を構成する。
【００３０】
図４に示すように、前記前面パネル２９の外面側において前記各回転操作部３１の周囲には火力を表示する複数のＬＥＤランプ３５を円弧状に並べた火力表示部３６が設けてある。つまり、コンロバーナ１ｂの火力（火力）は、コンロバーナ１ｂの最大火力と最小火力の間に設定された複数の段数（本実施形態では１０段）の内の一つの火力に調整設定可能になっている。
【００３１】
この火力表示部３６は複数（本実施形態では１０個）のＬＥＤランプ３５をレベルメータとして用いて回転操作部３１にて設定された火力（火力）の段数大きさに応じた、いずれかのＬＥＤランプ３５を点灯または点滅させて表示する構成となっている。
【００３２】
そして、制御部Ｈは、前記ロータリーエンコーダ３３から出力される前記パルス信号に基づいて、回転操作部３１の回転操作方向が、コンロバーナ１ｂの火力（火力）の増大を指令する正方向であるのか、コンロバーナ１ｂの火力（火力）の減少を指令する逆方向であるのか、についての正逆並びに回転操作量を判別するとともに、その判別した回転操作方向並びに回転操作量に対応させて左側コンロバーナ１ｂの火力（火力）を増大または減少させて火力（火力）の段数を変更して調整する手動操作火力制御を実行することになるが、そのとき、ロータリーエンコーダ３３から出力される２つのパルス信号のデータを予め定めた設定単位時間毎に繰り返し読み込み、その読み込まれた前記２つのパルス信号のデータにおけるデータパターンに基づいて、回転操作部３１の回転操作方向並びに回転操作量を判別するように構成されている。
【００３３】
なお、コンロバーナ１ｂ用の回転操作部３１を操作してコンロバーナ１ｂの火力を減少させたときに、コンロバーナ１ｂの火力は予め設定された設定最小火力Ｐ１より小さく変更調整できないように構成されている。この設定最小火力Ｐ１は、コンロバーナ１ｂの燃焼に関連する部品の製造バラツキやガスコンロに供給される燃料ガスの供給圧力の変動などを考慮して設定されている。
【００３４】
また、コンロバーナ１ｂ用の回転操作部３１の近傍には、コンロバーナ１ｂ用の設定最小火力Ｐ１を増加最小火力Ｑ１に増加させる最小火力増加スイッチＺ（図１、図４）を備える。この最小火力増加スイッチＺが最小火力増加指令手段に相当する。
【００３５】
最小火力増加スイッチＺを操作することで最小火力増加モードが指令して後述する増加時手動操作火力制御を実行していない場合、つまり通常モードにおいては、コンロバーナ１ｂ用の回転操作部３１を操作してコンロバーナ１ｂの火力を減少させたときに、コンロバーナ１ｂの火力は予め設定された設定最小火力Ｐ１より小さく変更調整できないのに対し、最小火力増加スイッチＺを操作して、制御部Ｈが増加時手動操作火力制御を実行すると、コンロバーナ１ｂ用の回転操作部３１を操作してコンロバーナ１ｂの火力を減少させたときに、コンロバーナ１ｂの火力は、設定最小火力Ｐ１より大きな火力である増加最小火力Ｑ１より小さく変更調整できないように構成されている。
【００３６】
つぎに、最小火力増加スイッチＺの指令に基づく増加時手動操作火力制御に関する制御部Ｈの制御動作について説明する。なお、本実施形態においては２つのコンロバーナ１ｂおよびグリルバーナ２のうち左側コンロバーナ１ｂに対して増加時手動操作火力制御を実行するように構成されている場合を説明するが、右側コンロバーナ１ａに対して増加時手動操作火力制御を実行するように構成してもよく、また、左側コンロバーナ１ｂと右側コンロバーナ１ａの両方のコンロバーナに対して増加時手動操作火力制御を実行するように構成してもよく、本発明を適用するコンロバーナが本実施形態によって限定されるものではない。
【００３７】
図５のフローチャートを用いて増加時手動操作火力制御を説明する。
先ず、Ｓ１０１で最小火力増加スイッチＺを操作（２秒以上の押圧操作）したかどうかが判定される。最小火力増加スイッチＺを操作（２秒以上の押圧操作）された場合は、Ｓ１０２に進み、増加時手動操作火力制御を実行中であるかどうかが判定される。増加時手動操作火力制御を実行中でない通常モードである場合は、増加時手動操作火力制御を実行し、コンロバーナ１ｂ用の回転操作部３１を操作してコンロバーナ１ｂの火力を減少させたときに変更調整可能なコンロバーナ１ｂの火力の下限値である設定最小火力Ｐ１を、コンロバーナ１ｂ用の回転操作部３１を操作してコンロバーナ１ｂの火力を減少させたときに変更調整可能な増加時手動操作火力制御の実行ち中におけるコンロバーナ１ｂの火力の下限値である、設定最小火力Ｐ１より大きい火力である増加最小火力Ｑ１に設定してメインルーチンにリターンする。なお、コンロバーナ１ｂ用の回転操作部３１を操作してコンロバーナ１ｂの火力を減少させたときに変更調整可能なコンロバーナ１ｂの火力の上限値である設定最大火力Ｐ１０は火力Ｑ１０に変更されるが、本実施形態ではＱ１０＝Ｐ１０としてあり、実質的には設定最大火力Ｐ１０は変更されない。
【００３８】
そして、増加時手動操作火力制御を実行しない通常モードにおいては、コンロバーナ１ｂ用の回転操作部３１を操作することで、コンロバーナ１ｂの火力をＰ１〜Ｐ１０の１０段階の火力に変更調整されるものであるのに対して、増加時手動操作火力制御を実行した最小火力増加モードにおいては、コンロバーナ１ｂ用の回転操作部３１を操作することで、コンロバーナ１ｂの火力をＱ１〜Ｑ１０の１０段階の火力に変更調整されることになる（図６参照）。なお、Ｐ２〜Ｐ９の火力が本願における中間火力に相当し、Ｑ２〜Ｑ９の火力が増加後中間火力に相当する。
【００３９】
Ｓ１０２において増加時手動操作火力制御を実行中であると判定された場合は、Ｓ１０４に進み、増加時手動操作火力制御の実行中においてコンロバーナ１ｂ用の回転操作部３１を操作してコンロバーナ１ｂの火力を減少させたときに変更調整可能なコンロバーナ１ｂの火力の下限値である増加最小火力Ｑ１を、通常モードにおいてコンロバーナ１ｂ用の回転操作部３１を操作してコンロバーナ１ｂの火力を減少させたときに変更調整可能なコンロバーナ１ｂの火力の下限値である設定最小火力Ｐ１に設定してメインルーチンにリターンする。
【００４０】
Ｓ１０１で最小火力増加スイッチＺを操作（２秒以上の押圧操作）したかどうかが判定され、最小火力増加スイッチＺを操作（２秒以上の押圧操作）されていないと判定された場合は、なにも行わず、そのままメインルーチンにリターンする。
【００４１】
なお、本実施形態においては、最小火力増加モードが指令されて、増加時手動操作火力制御を実行した後は、再度最小火力増加スイッチＺを操作（２秒以上の押圧操作）するまでは、増加時手動操作火力制御が継続して実行されるもので、最小火力増加スイッチＺが解除指令手段を兼用している。
〔別実施形態〕
以下、別実施形態を列記する。
【００４２】
（１）増加時手動操作火力制御をするときに、増加最小火力Ｑ１を所定の範囲で設定可能に構成してもよい。この場合、たとえば、通常モードにおいてコンロバーナ１ｂの火力が設定最小火力Ｐ１に調節されている状態で最小火力増加スイッチＺを押圧操作された場合には、最小火力増加スイッチＺの押圧から所定時間形化するまでの間、コンロバーナ１ｂ用の回転操作部３１を操作して増加最小火力Ｑ１が調整可能なように構成してもよい。
【００４３】
（２）上記実施形態では、回転操作部３１が火力指令用操作部を構成するものであったが、火力指令用操作部は回転式である必要はなく、スライド操作式に構成するものでもよい。
【００４４】
（３）上記実施形態では、デジタル的にパルスを出力するロータリーエンコーダ３３によって信号出力部が構成されているが、信号出力部として可変抵抗器を用いてアナログ信号を出力するように構成してもよい。
【００４５】
（４）上記実施形態では、本発明をテーブル式ガスコンロに適用した例について説明したが、ドロップインコンロにも適用可能である。
【００４６】
（５）上記実施形態では、ステッピングモータによって駆動される流量調整機構を備えた流量制御弁が火力調整手段を構成する場合を示したが、流量制御弁は、ステッピングモータによって駆動されるものに限定されず、ステッピングモータ以外の直流モータなどによって駆動されるように構成してもよい。
【００４７】
（６）本実施形態においては、最小火力増加モードが指令されて、増加時手動操作火力制御を実行した後は、再度最小火力増加スイッチＺを操作（２秒以上の押圧操作）するまでは、増加時手動操作火力制御が継続して実行されるように構成しているが、コンロバーナ１ｂの消火に伴って増加時手動操作火力制御を終了するように構成してもよい。
【００４８】
（７）増加最小火力Ｑ１を設定中間火力Ｐ２と同じ火力に設定し、増加時手動操作火力制御実行時における火力調節段数を、増加時手動操作火力制御を実行しない通常モードにおける火力調節段数より１段少ない段数とするように構成することも可能である。
【００４９】
（８）その他、本発明の実施するに当たり、本発明に必須の構成を備える範囲において、具体的な構成は適宜変更可能である。
【符号の説明】
【００５０】
１８            流量制御弁（火力調整手段）
３１            回転操作部（火力指令用操作部）
３３            エンコーダ（信号出力部）
３７            報知手段
Ｈ              制御部（制御手段）
Ｋ              コンロバーナ
Ｚ              最小火力増加スイッチ（最小火力増加指令手段）
【図３】
2014009872.tif 000003
【図５】
2014009872.tif 000004
【図１】
2014009872.tif 000005
【図２】
2014009872.tif 000006
【図４】
2014009872.tif 000007
【図６】
2014009872.tif 000008